(57)【要約】【課題】音声の歪みを補正することができる音声歪み補正装置を提供する。【解決手段】音声歪み補正装置１１は、タッチパネル（タッチパネル部１２）と、タッチパネルが押さえられるとその押さえらえた位置に対応する位置が押さえられるスピーカー（スピーカー部１３）と、タッチパネルにおける押さえられる位置に関する情報と音声歪みの補正値との対応付け（補正値テーブル１２１）を記憶する記憶部１０３と、タッチパネルにおける押さえられた位置に関する情報を取得する位置情報取得部（指座標取得部１０２）と、記憶部に記憶された対応付けに基づいて、位置情報取得部により取得された位置に関する情報に対応する音声歪みの補正値を取得する補正値取得部１０４と、補正値取得部により取得された音声歪みの補正値を使用して、スピーカーにより出力される前の音声の信号を補正する歪み補正処理部１０５と、を備えることを特徴とする。【選択図】図１
2014036309.tif 000002
【特許請求の範囲】
【請求項１】
タッチパネルと、
前記タッチパネルが押さえられるとその押さえらえた位置に対応する位置が押さえられるスピーカーと、
前記タッチパネルにおける押さえられる位置に関する情報と音声歪みの補正値との対応付けを記憶する記憶部と、
前記タッチパネルにおける押さえられた位置に関する情報を取得する位置情報取得部と、
前記記憶部に記憶された前記対応付けに基づいて、前記位置情報取得部により取得された位置に関する情報に対応する音声歪みの補正値を取得する補正値取得部と、
前記補正値取得部により取得された音声歪みの補正値を使用して、前記スピーカーにより出力される前の音声の信号を補正する歪み補正処理部と、
を備えることを特徴とする音声歪み補正装置。
【請求項２】
前記スピーカーから出力された音声の情報を取得する音声取得部と、
前記音声取得部により取得された音声の情報を周波数変換して、当該音声の周波数特性を取得する周波数変換部と、
前記タッチパネルが押さえられていない状態において前記音声取得部および前記周波数変換部により取得された音声の周波数特性と、前記タッチパネルが押さえられた状態において前記音声取得部および前記周波数変換部により取得された音声の周波数特性とに基づいて、前記タッチパネルが押さえられた状態に関して、前記タッチパネルにおける押さえられる位置に関する情報に対応する音声歪みの補正値を演算する補正値演算部と、
を備えることを特徴とする請求項１に記載の音声歪み補正装置。
【請求項３】
前記音声取得部、前記周波数変換部および前記補正値演算部により音声歪みの補正値を演算する場合に、前記スピーカーから出力させるあらかじめ定められた音声の信号を出力する調整用音声出力部、
を備えることを特徴とする請求項２に記載の音声歪み補正装置。
【請求項４】
前記タッチパネルにおける押さえられる位置として、１箇所からあらかじめ定められた複数箇所までの位置を用いる、
ことを特徴とする請求項１から請求項３のいずれか１項に記載の音声歪み補正装置。
【請求項５】
音声歪み補正装置における音声歪み補正方法であって、
位置情報取得部が、タッチパネルが押さえられるとその押さえらえた位置に対応するスピーカーの位置が押さえられる構成における前記タッチパネルにおける押さえられた位置に関する情報を取得する第１のステップと、
補正値取得部が、前記タッチパネルにおける押さえられる位置に関する情報と音声歪みの補正値との対応付けを記憶する記憶部に記憶された前記対応付けに基づいて、前記位置情報取得部により取得された位置に関する情報に対応する音声歪みの補正値を取得する第２のステップと、
歪み補正処理部が、前記補正値取得部により取得された音声歪みの補正値を使用して、前記スピーカーにより出力される前の音声の信号を補正する第３のステップと、
を有することを特徴とする音声歪み補正方法。
【請求項６】
情報処理装置のコンピュータに、
位置情報取得部が、タッチパネルが押さえられるとその押さえらえた位置に対応するスピーカーの位置が押さえられる構成における前記タッチパネルにおける押さえられた位置に関する情報を取得する第１の手順と、
補正値取得部が、前記タッチパネルにおける押さえられる位置に関する情報と音声歪みの補正値との対応付けを記憶する記憶部に記憶された前記対応付けに基づいて、前記位置情報取得部により取得された位置に関する情報に対応する音声歪みの補正値を取得する第２の手順と、
歪み補正処理部が、前記補正値取得部により取得された音声歪みの補正値を使用して、前記スピーカーにより出力される前の音声の信号を補正する第３の手順と、
を実行させるための音声歪み補正プログラム。
【発明の詳細な説明】
【技術分野】
【０００１】
本発明は、音声歪み補正装置、音声歪み補正方法および音声歪み補正プログラムに関する。
【背景技術】
【０００２】
平面波を出力することが可能なスピーカーの構造により、高音質、高音圧での音源再生を可能にすることができる。
一例として、平面型スピーカー等として使用することが可能な平面型音響変換装置が提案されている（特許文献１参照。）。この平面型音響変換装置は、平板状に形成された磁性体からなる第１のヨークと、第１のヨークと間隔を開けて平行に配置され平板状に形成された磁性体からなる第２のヨークと、第１のヨークと第２のヨークとの間に平行に配置されるダイヤフラムと、第１の磁石群および第２の磁石群と、導体および貫通孔を備え、これにより、ダイヤフラムの面積の大型化が図られている（特許文献１参照。）。
【０００３】
携帯用電子機器などにおいて、タッチパネルとスピーカーを共に搭載する場合に、狭額縁化の妨げになるこれらの実装に関して、平面状のスピーカーの機能をタッチパネルに埋め込む技術が検討されている。
一例として、スピーカー兼用タッチパネルが提案されている（特許文献２参照。）。このスピーカー兼用タッチパネルは、第１支持基板と、第１支持基板に対向する第２支持基板と、第２支持基板に面した第１支持基板の表面に形成された第１透明電極と、第１支持基板に面した第２支持基板の表面に形成された第２透明電極と、第１透明電極と第２透明電極との中間に形成された第３透明電極と、第２透明電極と第３透明電極との間に形成され、第２透明電極と第３透明電極との間の電圧に応じて振動する圧電層と、第１透明電極と第３透明電極との間に形成され、外部からの圧力に応じて弾性変形して第１透明電極と第３透明電極とを互いに接触させ、圧電層の振動に共鳴して音に変換する媒質層を備え、これにより、タッチパネルとスピーカーを共に搭載する電子機器のさらなる小型化／薄型化などが図られている（特許文献２参照。）。
【先行技術文献】
【特許文献】
【０００４】
【特許文献１】特開２００３−１０２０８８号公報
【特許文献２】特開２００７−６６３０６号公報
【発明の概要】
【発明が解決しようとする課題】
【０００５】
しかしながら、従来の技術では、タッチパネルと平面スピーカーを組み合わせた構造において、タッチパネルに人の指を当てる操作を行うと、平面スピーカーに対しても人の指を当てることになる。そして、人の指により平面スピーカーの面上の点が押さえられると、タッチパネルの上下端以外に固定端が追加されることになり、タッチパネルの上下端からその点までの距離に応じて周波数特性が変化してしまい、出力音声に歪みが生じるという問題があった。
【０００６】
本発明は、このような事情に鑑みてなされたものであり、その目的は、タッチパネルとスピーカーを組み合わせた構造において、タッチパネルに人の指を当てる操作が行われた場合に、発生する音声の歪みを補正することができる音声歪み補正装置、音声歪み補正方法および音声歪み補正プログラムを提供することにある。
【課題を解決するための手段】
【０００７】
（１）本発明は上記の課題を解決するためになされたものであり、本発明の一態様は、音声歪み補正装置であって、タッチパネルと、前記タッチパネルが押さえられるとその押さえらえた位置に対応する位置が押さえられるスピーカーと、前記タッチパネルにおける押さえられる位置に関する情報と音声歪みの補正値との対応付けを記憶する記憶部と、前記タッチパネルにおける押さえられた位置に関する情報を取得する位置情報取得部と、前記記憶部に記憶された前記対応付けに基づいて、前記位置情報取得部により取得された位置に関する情報に対応する音声歪みの補正値を取得する補正値取得部と、前記補正値取得部により取得された音声歪みの補正値を使用して、前記スピーカーにより出力される前の音声の信号を補正する歪み補正処理部と、を備えることを特徴とする。
【０００８】
（２）また、本発明の一態様は、上記した（１）に記載の音声歪み補正装置であって、前記スピーカーから出力された音声の情報を取得する音声取得部と、前記音声取得部により取得された音声の情報を周波数変換して、当該音声の周波数特性を取得する周波数変換部と、前記タッチパネルが押さえられていない状態において前記音声取得部および前記周波数変換部により取得された音声の周波数特性と、前記タッチパネルが押さえられた状態において前記音声取得部および前記周波数変換部により取得された音声の周波数特性とに基づいて、前記タッチパネルが押さえられた状態に関して、前記タッチパネルにおける押さえられる位置に関する情報に対応する音声歪みの補正値を演算する補正値演算部と、を備えることを特徴とする。
【０００９】
（３）また、本発明の一態様は、上記した（２）に記載の音声歪み補正装置であって、前記音声取得部、前記周波数変換部および前記補正値演算部により音声歪みの補正値を演算する場合に、前記スピーカーから出力させるあらかじめ定められた音声の信号を出力する調整用音声出力部、を備えることを特徴とする。
【００１０】
（４）また、本発明の一態様は、上記した（１）から上記した（３）のいずれか１つに記載の音声歪み補正装置であって、前記タッチパネルにおける押さえられる位置として、１箇所からあらかじめ定められた複数箇所までの位置を用いる、ことを特徴とする。
【００１１】
（５）また、本発明の一態様は、音声歪み補正装置における音声歪み補正方法であって、位置情報取得部が、タッチパネルが押さえられるとその押さえらえた位置に対応するスピーカーの位置が押さえられる構成における前記タッチパネルにおける押さえられた位置に関する情報を取得する第１のステップと、補正値取得部が、前記タッチパネルにおける押さえられる位置に関する情報と音声歪みの補正値との対応付けを記憶する記憶部に記憶された前記対応付けに基づいて、前記位置情報取得部により取得された位置に関する情報に対応する音声歪みの補正値を取得する第２のステップと、歪み補正処理部が、前記補正値取得部により取得された音声歪みの補正値を使用して、前記スピーカーにより出力される前の音声の信号を補正する第３のステップと、を有することを特徴とする。
【００１２】
（６）また、本発明の一態様は、音声歪み補正プログラムであって、情報処理装置のコンピュータに、位置情報取得部が、タッチパネルが押さえられるとその押さえらえた位置に対応するスピーカーの位置が押さえられる構成における前記タッチパネルにおける押さえられた位置に関する情報を取得する第１の手順と、補正値取得部が、前記タッチパネルにおける押さえられる位置に関する情報と音声歪みの補正値との対応付けを記憶する記憶部に記憶された前記対応付けに基づいて、前記位置情報取得部により取得された位置に関する情報に対応する音声歪みの補正値を取得する第２の手順と、歪み補正処理部が、前記補正値取得部により取得された音声歪みの補正値を使用して、前記スピーカーにより出力される前の音声の信号を補正する第３の手順と、を実行させるためのプログラムである。
【発明の効果】
【００１３】
本発明によれば、タッチパネルとスピーカーを組み合わせた構造において、タッチパネルに人の指を当てる操作が行われた場合に、発生する音声の歪みを補正することができる音声歪み補正装置、音声歪み補正方法および音声歪み補正プログラムを提供することができる。
【図面の簡単な説明】
【００１４】
【図１】本実施形態に係る携帯端末装置の構成の一例を示す概略ブロック図である。
【図２】本実施形態に係る音声歪み補正で使用する補正値テーブルの一例を示す図である。
【図３】本実施形態に係る携帯端末装置の音声歪み補正装置において行われる補正値テーブルの作成処理の手順の一例を示す図である。
【図４】本実施形態に係る携帯端末装置の音声歪み補正装置において行われる音声歪み補正処理における補正情報取得処理の手順の一例を示す図である。
【図５】本実施形態に係る携帯端末装置の音声歪み補正装置において行われる音声歪み補正実行処理の手順の一例を示す図である。
【発明を実施するための形態】
【００１５】
以下、図面を参照しながら本発明の実施形態について詳しく説明する。
［本実施形態に係る携帯端末装置の概要の説明］
図１は、本実施形態に係る携帯端末装置１の構成の一例を示す概略ブロック図である。
本実施形態に係る携帯端末装置１は、音声歪み補正装置１１と、タッチパネルおよび当該タッチパネルによる操作入力を実現する機能を有するタッチパネル部１２と、スピーカーおよび当該スピーカーによる音声出力を実現する機能を有するスピーカー部１３を備える。
また、図１には、タッチパネル部１２を操作する人の指２１およびタッチパネル部１２の面上においてこの指２１により押さえられた（タッチされた）点Ｐ１を示してある。
【００１６】
音声歪み補正装置１１は、音源部１０１と、指座標取得部（位置座標取得部の一例）１０２と、記憶部１０３と、補正値取得部１０４と、歪み補正処理部１０５と、例えばスピーカー部１３の面（平面状のスピーカー）に対向して配置されるマイクを用いて構成される音声取得部１０６と、周波数変換部１０７と、フィルタ係数取得部（補正値演算部の一例）１０８と、制御部１０９を備える。
音源部１０１は、音声（例えば、調整用ではなく様々な音声）を出力する音声出力部１３１と、調整用の音声を出力する調整用音声出力部１３２を備える。
記憶部１０３は、例えば、不揮発性などのメモリを用いて構成され、補正値テーブル１２１を記憶する。なお、記憶部１０３は、他の任意の情報を記憶してもよい。
また、制御部１０９は、音声歪み補正装置１１における全体の処理を制御する。
なお、音声歪み補正装置１１における各処理で使用される数式や値（例えば、閾値など）は、例えば、記憶部１０３に記憶されてもよく、または、該当する各処理を行う各処理部のメモリに記憶されてもよい。
【００１７】
本実施形態では、タッチパネル部１２とスピーカー部１３とは、タッチパネル付きの平面スピーカーとして構成されている。一例として、タッチパネル部１２の面とスピーカー部１３の面とは、同一の面に共通化されている。または、他の例として、タッチパネル部１２の面とスピーカー部１３の面とは、別の面であり、平行に配置されている。
なお、本実施形態では、主に、携帯端末装置１に備えられた音声歪み補正の機能を説明し、他の機能に関する構成については、図示や説明を省略する。
【００１８】
また、本実施形態では、タッチパネル部１２の面およびスピーカー部１３の面に対応する例えば長方形の面に関し、共通な二次元のｘ−ｙ直交座標系を規定し、この長方形の面を構成する一方の辺（本実施形態では、短い方の辺）の方向をｘ軸の方向とし、この長方形の面を構成する他方の辺（本実施形態では、長い方の辺）の方向をｙ軸の方向とする。
これにより、携帯端末装置１では、タッチパネル部１２の面上において、指２１により押さえられる点Ｐ１の位置の座標を得ることができる。図１の例では、この点Ｐ１は、ｘ軸に関しては左側の辺から距離Ｘ１且つ右側の辺から距離Ｘ２の位置にあり、ｙ軸に関しては下側の辺から距離Ｙ１且つ上側の辺から距離Ｙ２の位置にある。
本実施形態に係る携帯端末装置１では、タッチパネル部１２の面上において指２１により点Ｐ１が押さえられると、スピーカー部１３の面上において対応する点（本実施形態では、点Ｐ１と同じ位置の点）が押さえられることになる。
【００１９】
ここで、本実施形態では、タッチパネル部１２の面上において、ｘ軸方向を等間隔に４個に分割するとともに、ｙ軸方向を等間隔に３個に分割することにより、合計で１２（＝４×３）個の区画（領域）を生成する。そして、タッチパネル部１２の面上において、ｘ軸方向の座標（ｘ座標）については、例えば左から右へ、１、２、３、４とし、また、ｙ軸方向の座標（ｙ座標）については、例えば下から上へ、１、２、３とする。これにより、指２１により押さえられる点Ｐ１のｘ座標およびｙ座標の組み合わせから区画が特定される。
【００２０】
なお、このように区切られる区画の大きさとしては、任意であってもよく、例えば、ｘ軸方向（横軸方向）に１０ピクセル×ｙ軸方向（縦軸方向）に２０ピクセルや、ｘ軸方向（横軸方向）に２０ピクセル×ｙ軸方向（縦軸方向）に２０ピクセルなどを用いることができる。
また、本実施形態では、このような区画を単位として値の検出（測定）を行い、例えば、区画の大きさを細かくすることにより、位置に対する検出の精度を上げることができる。
【００２１】
また、本実施形態では、携帯端末装置１は、指２１により押さえられる点Ｐ１のｘｙ座標（本実施形態では、区画）に応じて、音声歪み補正で使用する補正値（本実施形態では、フィルタ係数）を決定する。
また、本実施形態では、携帯端末装置１は、タッチパネル部１２の面を押さえる人の指が１本から３本までに対応して、音声歪み補正で使用する補正値（本実施形態では、フィルタ係数）を決定する。つまり、携帯端末装置１は、１本の指により１箇所の区画を押さえる場合に音声歪み補正で使用する補正値を決定すること、２本の指により異なる２箇所の区画を同時に押さえる場合に音声歪み補正で使用する補正値を決定すること、および３本の指により異なる３箇所の区画を同時に押さえる場合に音声歪み補正で使用する補正値を決定すること、を行う。
なお、音声歪み補正において対応することが可能な、タッチパネル部１２の面を押さえる人の指の数としては、本実施形態では１本、２本、３本としたが、任意の本数であってもよい。
【００２２】
［本実施形態に係る補正値テーブルの説明］
図２は、本実施形態に係る音声歪み補正で使用する補正値テーブル１２１の一例を示す図である。
本実施形態に係る補正値テーブル１２１の内容は、タッチパネル部１２の面を１２（ｘ軸方向に４×ｙ軸方向に３）個の区画に分けた場合およびタッチパネル部１２の面を押さえる指の本数が１〜３本である場合に対応している。
【００２３】
本実施形態に係る補正値テーブル１２１では、座標１（ｘ）、座標１（ｙ）、座標２（ｘ）、座標２（ｙ）、座標３（ｘ）、座標３（ｙ）、フィルタ係数、が対応付けられて記憶される。
ここで、タッチパネル部１２の面を押さえる指の本数が１本である場合には、１本の指で押さえられる点のｘ座標、ｙ座標が、それぞれ、座標１（ｘ）、座標１（ｙ）に格納される。なお、他の欄である座標２（ｘ）、座標２（ｙ）、座標３（ｘ）、座標３（ｙ）については、例えば、空欄（例えば、あらかじめ定められた値でもよい）とする。
【００２４】
また、タッチパネル部１２の面を押さえる指の本数が２本である場合には、１本目の指で押さえられる点のｘ座標、ｙ座標が、それぞれ、座標１（ｘ）、座標１（ｙ）に格納されるとともに、２本目の指で押さえられる他の点のｘ座標、ｙ座標が、それぞれ、座標２（ｘ）、座標２（ｙ）に格納される。なお、他の欄である座標３（ｘ）、座標３（ｙ）については、例えば、空欄（例えば、あらかじめ定められた値でもよい）とする。
また、タッチパネル部１２の面を押さえる指の本数が３本である場合には、１本目の指で押さえられる点のｘ座標、ｙ座標が、それぞれ、座標１（ｘ）、座標１（ｙ）に格納され、２本目の指で押さえられる他の点のｘ座標、ｙ座標が、それぞれ、座標２（ｘ）、座標２（ｙ）に格納され、３本目の指で押さえられるさらに他の点のｘ座標、ｙ座標が、それぞれ、座標３（ｘ）、座標３（ｙ）に格納される。
なお、本実施形態では、携帯端末装置１は、タッチパネル部１２の面上において、２本以上の指で同じ位置（本実施形態では、同じ区画）が押さえられる場合には、１本の指でその位置が押さえられる場合と同様に扱って処理（音声歪み補正の処理）を行う。
【００２５】
具体的には、図２に示される補正値テーブル１２１の例では、１本の指により（ｘ座標＝１、ｙ座標＝１）の点（本実施形態では、区画）が押さえられたときに対応するフィルタ係数が“ａａａａａａ１（これは設定された値を表す）”であり、また、１本の指により（ｘ座標＝４、ｙ座標＝３）の点（本実施形態では、区画）が押さえられたときに対応するフィルタ係数が“ａａａａａａ１２（これは設定された値を表す）”であり、また、２本の指により（ｘ座標＝１、ｙ座標＝１）の点および（ｘ座標＝１、ｙ座標＝２）の点が同時に押さえられたときに対応するフィルタ係数が“ｂｂｂｂｂｂ１（これは設定された値を表す）”であり、また、２本の指により（ｘ座標＝４、ｙ座標＝２）の点および（ｘ座標＝４、ｙ座標＝３）の点が同時に押さえられたときに対応するフィルタ係数が“ｂｂｂｂｂｂ６６（これは設定された値を表す）”であり、また、３本の指により（ｘ座標＝１、ｙ座標＝１）の点、（ｘ座標＝１、ｙ座標＝２）の点および（ｘ座標＝１、ｙ座標＝３）の点が同時に押さえられたときに対応するフィルタ係数が“ｃｃｃｃｃｃ１（これは設定された値を表す）”であり、また、３本の指により（ｘ座標＝４、ｙ座標＝１）の点、（ｘ座標＝４、ｙ座標＝２）の点および（ｘ座標＝４、ｙ座標＝３）の点が同時に押さえられたときに対応するフィルタ係数が“ｃｃｃｃｃｃ２２０（これは設定された値を表す）”である。
【００２６】
また、図２では図示を省略してあるが、本実施形態に係る補正値テーブル１２１では、タッチパネル部１２の面を１２（ｘ軸方向に４×ｙ軸方向に３）個の区画に分けた場合およびタッチパネル部１２の面を押さえる指の本数が１〜３本である場合に対応して、可能な全てのパターンについて、フィルタ係数が格納されている。
【００２７】
［本実施形態に係る補正値テーブルの作成処理の説明］
本実施形態に係る携帯端末装置１の音声歪み補正装置１１において行われる補正値テーブル１２１の作成処理について説明する。
図３は、本実施形態に係る携帯端末装置１の音声歪み補正装置１１において行われる補正値テーブル１２１の作成処理の手順の一例を示す図である。
このような補正値テーブル１２１の作成処理は、例えば、携帯端末装置１（または、その音声歪み補正装置１１）の初期設定のタイミング、または、人（ユーザ）が操作部（例えば、キーなどであり、タッチパネルが利用されてもよい）を操作して指示したタイミング、などに行われる。
【００２８】
まず、音源部１０１の調整用音声出力部１３２は、調整用の音声の信号を歪み補正処理部１０５を介してスピーカー部１３に出力することを開始する（ステップＳ１）。これにより、スピーカー部１３のスピーカーから、調整用の音声が出力される。
ここで、調整用の音声の信号としては、例えば、ガウスノイズなどのように、均一な周波数特性を持つ音源を再生することで発生する音声の信号を用いる。
なお、ここの処理では、歪み補正処理部１０５は、調整用音声出力部１３２から入力される調整用の音声の信号をそのままスピーカー部１３に出力する。
他の構成例として、調整用音声出力部１３２から出力される調整用の音声の信号が、直接、スピーカー部１３に入力される構成が用いられてもよい。
【００２９】
次に、音声取得部１０６は、そのマイクにより、スピーカー部１３のスピーカーから出力される調整用の音声を検出（測定）して取得し、取得した調整用の音声の信号（調整用の音声の情報）をメモリに記憶する（ステップＳ２）。これにより、調整設備（本実施形態では、音声歪み補正装置１１）の側で、調整用音声の出力結果がメモリに保存（記憶）される。
ここで、このメモリは、例えば、音声取得部１０６に備えられるが、他の構成例として、記憶部１０３のメモリを利用してもよい。
なお、ここの処理では、タッチパネル部１２の面は指により押さえられていない（指により接触が無い）状態であり、スピーカー部１３の面も指により押さえられていない状態である。
【００３０】
次に、補正値を求めることを希望するタッチパネル部１２の面上のｘ×ｙ座標の点（本実施形態では、区画）について、人の指２１によりその点を押さえた（タッチした）状態とし、これにより、スピーカー部１３の面上のｘ×ｙ座標の点（本実施形態では、区画）について、人の指２１によりその点を押さえた状態とする。
なお、初期の状態では、タッチパネル部１２の面を押さえる人の指２１の本数のパラメータ（指の数）は１本に設定されているとする。
そして、この状態において、音声取得部１０６は、そのマイクにより、スピーカー部１３のスピーカーから出力される調整用の音声を検出（測定）して取得し、取得した調整用の音声の信号（調整用の音声の情報）をメモリに記憶する（ステップＳ３）。これにより、調整設備（本実施形態では、音声歪み補正装置１１）の側で、タッチパネル部１２の面（タッチパネル）が人の指２１によりタッチされた状態における調整用音声の出力結果がメモリに保存（記憶）される。
【００３１】
ここで、本実施形態では、ステップＳ３の処理において、補正値を求めることを希望するタッチパネル部１２の面上のｘ×ｙ座標の点（本実施形態では、区画）の全てについて、それぞれ、人の指２１によりその点を押さえた（タッチした）状態として、音声取得部１０６は、そのマイクにより、スピーカー部１３のスピーカーから出力される調整用の音声を検出（測定）して取得し、取得した調整用の音声の信号（調整用の音声の情報）をメモリに記憶する。
【００３２】
音声取得部１０６は、タッチパネル部１２の面が人の指２１により押さえられていない状態において取得した調整用の音声の信号（本処理において、調整用音声出力結果と言う）と、タッチパネル部１２の面が人の指２１により押さえられた状態において取得した調整用の音声の信号（本処理において、音声取得結果と言う）を周波数変換部１０７に出力する。
【００３３】
なお、調整用音声出力結果については、タッチパネル部１２の面が人の指２１により押さえられる任意の状態に共通化することが可能であるため、例えば、本処理において、一度だけ音声取得部１０６から周波数変換部１０７に出力されてもよく、または、タッチパネル部１２の面が人の指２１により押さえられる状態が変化するごとに、音声取得部１０６から周波数変換部１０７に出力されてもよい。
【００３４】
また、ステップＳ３の処理では、同時に、指座標取得部１０２は、人の指２１により押さえられたタッチパネル部１２の面上の点の座標（指座標）を検出（測定）して取得し、取得した指座標の情報をフィルタ係数取得部１０８に出力する（ステップＳ３）。
なお、指座標取得部１０２により取得される指座標の情報と、その指座標の点が指２１により押さえられた状態において音声取得部１０６により取得される音声取得結果とが対応付けられれば、これらの検出（測定）のタイミングとしては、例えば、同時でなくてもよく、任意のタイミングであってもよい。
【００３５】
また、本実施形態では、指座標取得部１０２が、自動的に、人の指２１により押さえられたタッチパネル部１２の面上の点の座標（指座標）を検出（測定）する構成としたが、他の構成例として、人が、携帯端末装置１の操作部（例えば、キーなどであり、タッチパネルが利用されてもよい）を操作して、指２１により押さえられるタッチパネル部１２の面上の点の座標（指座標）を携帯端末装置１の音声歪み補正装置１１（例えば、指座標取得部１０２）に入力する構成が用いられてもよい。
【００３６】
次に、周波数変換部１０７は、音声取得部１０６から入力された調整用音声出力結果を周波数変換して、その周波数特性（本処理において、調整用音声周波数特性と言う）を取得するとともに、音声取得部１０６から入力された音声取得結果を周波数変換して、その周波数特性（本処理において、取得音声周波数特性と言う）を取得し、そして、取得した調整用音声周波数特性の情報および取得した取得音声周波数特性の情報をフィルタ係数取得部１０８に出力する（ステップＳ４）。
【００３７】
ここで、本実施形態では、ステップＳ４の処理において、補正値を求めることを希望するタッチパネル部１２の面上のｘ×ｙ座標の点（本実施形態では、区画）の全てについて、それぞれ、周波数変換部１０７は、音声取得部１０６から入力された音声取得結果を周波数変換して、その周波数特性（取得音声周波数特性）を取得し、そして、取得した取得音声周波数特性の情報をフィルタ係数取得部１０８に出力する。
【００３８】
なお、調整用音声周波数特性については、タッチパネル部１２の面が人の指２１により押さえられる任意の状態に共通化することが可能であるため、例えば、本処理において、一度だけ周波数変換部１０７からフィルタ係数取得部１０８に出力されてもよく、または、タッチパネル部１２の面が人の指２１により押さえられる状態が変化するごとに、周波数変換部１０７からフィルタ係数取得部１０８に出力されてもよい。
【００３９】
次に、フィルタ係数取得部１０８は、周波数変換部１０７から入力された調整用音声周波数特性の情報および取得音声周波数特性の情報に基づいて、この取得音声周波数特性の周波数特性をこの調整用音声周波数特性の周波数特性に近付ける（理想的には、一致させる）ための係数を計算し、この計算結果（周波数特性に関するこの係数）を、時間波形において音声歪み補正のために音声信号に乗算することができるフィルタ係数へ変換して、このフィルタ係数を取得する（ステップＳ５）。
【００４０】
また、フィルタ係数取得部１０８は、指座標取得部１０２から入力される指座標の情報を取得し、取得した指座標の情報と取得したフィルタ係数の情報について互いに対応する組み合わせを記憶部１０３の補正値テーブル１２１に記憶させる（ステップＳ６）。
ここで、本実施形態では、フィルタ係数取得部１０８は、指座標の情報とフィルタ係数の情報について互いに対応する組み合わせとしては、図２に示される補正値テーブルのように、座標１（ｘ）、座標１（ｙ）、座標２（ｘ）、座標２（ｙ）、座標３（ｘ）、座標３（ｙ）、フィルタ係数の値の組み合わせを用いる。
【００４１】
ここで、本実施形態では、ステップＳ５の処理において、補正値を求めることを希望するタッチパネル部１２の面上のｘ×ｙ座標の点（本実施形態では、区画）の全てについて、それぞれ、フィルタ係数取得部１０８は、取得音声周波数特性の周波数特性を調整用音声周波数特性の周波数特性に近付けるためのフィルタ係数を取得する。
また、本実施形態では、ステップＳ６の処理において、補正値を求めることを希望するタッチパネル部１２の面上のｘ×ｙ座標の点（本実施形態では、区画）の全てについて、それぞれ、フィルタ係数取得部１０８は、指座標の情報とフィルタ係数の情報について互いに対応する組み合わせを記憶部１０３の補正値テーブル１２１に記憶させる。
【００４２】
次に、制御部１０９は、タッチパネル部１２の面を押さえる人の指２１の本数のパラメータ（指の数）の値があらかじめ定められた対応最大数より小さいか否かを判定する（ステップＳ７）。
ステップＳ７の処理の結果、制御部１０９が、このパラメータ（指の数）の値があらかじめ定められた対応最大数より小さくない（つまり、対応最大数以上である）と判定した場合には、音源部１０１の調整用音声出力部１３２は、調整用の音声の信号を歪み補正処理部１０５を介してスピーカー部１３に出力することを終了する（ステップＳ８）。これにより、スピーカー部１３のスピーカーから、調整用の音声が出力されることが終了する。
【００４３】
一方、ステップＳ７の処理の結果、制御部１０９が、このパラメータ（指の数）の値があらかじめ定められた対応最大数より小さいと判定した場合には、このパラメータ（指の数）の値を所定の数（例えば、本実施形態では、１）だけ増加させて、フィルタ係数を再度計算するために、ステップＳ３の処理へ移行する（ステップＳ９）。そして、タッチパネル部１２の面を押さえる人の指２１の本数が増加させられた状態で、上記と同様に、ステップＳ３〜ステップＳ９の処理を行う。
【００４４】
ここで、タッチパネル部１２の面を押さえる人の指２１の本数が複数本である場合には、補正値を求めることを希望するタッチパネル部１２の面上のｘ×ｙ座標の点（本実施形態では、区画）としては、同時に押さえられる複数箇所のｘ×ｙ座標の点（本実施形態では、区画）が用いられ、その全ての組み合わせについて、総当たりで、ステップＳ３〜ステップＳ６の処理が行われる。
【００４５】
本実施形態では、ステップＳ７の処理におけるパラメータ（指の数）に関する対応最大数は３に設定されている。そして、音声歪み補正装置１１では、タッチパネル部１２の面を押さえる人の指２１の本数が、１本である場合、２本である場合、３本である場合、について、ステップＳ３〜ステップＳ６の処理を行う。
なお、調整用音声出力結果については、タッチパネル部１２の面を押さえる人の指２１の本数が２通り以上ある場合には、任意の本数に共通化することが可能であるため、本実施形態では、本処理において、一度だけ調整用音声出力結果を取得して記憶する構成としたが（ステップＳ２の処理）、他の構成例として、タッチパネル部１２の面を押さえる人の指２１の本数が変化するごとに、音声取得部１０６が調整用音声出力結果を取得して記憶する構成が用いられてもよい。
【００４６】
ここで、本実施形態では、タッチパネル部１２の面を押さえる人の指２１の本数ごとに、ステップＳ３〜ステップＳ６の処理を行い、これらの処理において、その本数において可能な人の指２１によるタッチパネル部１２の面の押さえ方の全てについて、それぞれのフィルタ係数を取得する処理手順としたが、他の構成例として、タッチパネル部１２の面を押さえる人の指２１の本数ごとに、および、その本数において可能な人の指２１によるタッチパネル部１２の面の押さえ方（１通りの押さえ方）ごとに、ステップＳ３〜ステップＳ６の処理を行い、これらの処理を全ての押さえ方について繰り返して行い、その後、次の指の本数についての同様な処理（ステップＳ３〜ステップＳ６の処理の繰り返し）へ移行するような処理手順が用いられてもよい。
【００４７】
このように、本実施形態に係る携帯端末装置１の音声歪み補正装置１１では、事前に、タッチパネル部１２のタッチパネルの様々な座標の位置（本実施形態では、その位置の点を含む区画）を人の指２１で押さえた場合に応じた周波数特性補正用の補正値テーブル１２１を用意しておく。本実施形態では、スピーカー部１３のスピーカーによりガウスノイズなどの音声を出力している状態で、人の指２１によりタッチパネル部１２のタッチパネルの様々な座標の位置を順に押さえて（タッチして）、各座標の位置に応じた出力歪み（指２１で押さえていない状態における音声出力と指２１で押さえた状態における音声出力との違いに関する情報）を記憶していく。そして、補正値テーブル１２１に、検出した出力歪みを有する出力波形に対して、検出した出力歪みを低減して（理想的には、ゼロにして）元の出力波形に戻すための補正値（本実施形態では、音声信号の時間波形に対するフィルタ係数）を記憶する。
【００４８】
［本実施形態に係る音声歪み補正処理における補正情報取得処理の説明］
本実施形態に係る携帯端末装置１の音声歪み補正装置１１において行われる音声歪み補正処理における補正情報取得処理について説明する。
図４は、本実施形態に係る携帯端末装置１の音声歪み補正装置１１において行われる音声歪み補正処理における補正情報取得処理の手順の一例を示す図である。
このような音声歪み補正処理における補正情報取得処理は、例えば、携帯端末装置１（または、その音声歪み補正装置１１）の電源がオンである状態において、常時、または、音声出力が行われているタイミングなどで、行われるが、本実施形態では、図３に示されるような補正値テーブル１２１の作成処理が行われている間には、行われない。
【００４９】
音声歪み補正装置１１において、制御部１０９は、補正情報取得処理を開始するように制御する（ステップＳ２１）。
まず、指座標取得部１０２は、人の指２１により押さえられたタッチパネル部１２の面上の点の座標（指座標）を検出（測定）し、これにより、人の指２１によりタッチパネル部１２の面上のいずれかの点が押さえられているか否か（タッチパネルの面上に指があるか否か）を判定する（ステップＳ２２）。
【００５０】
ステップＳ２２の処理の結果、指座標取得部１０２は、人の指２１によりタッチパネル部１２の面上のいずれの点も押さえられていないと判定した場合には、その旨を示す情報を補正値取得部１０４に出力（通知）する。これを入力したことに応じて、補正値取得部１０４は、歪み補正処理部１０５により使用される補正処理変数（本実施形態では、フィルタ係数）を初期値（例えば、音声歪み補正を行わない値）に設定（この例では、クリア）する（ステップＳ２８）。そして、音声歪み補正装置１１では、ステップＳ２６の処理へ移行する。
【００５１】
一方、ステップＳ２２の処理の結果、指座標取得部１０２は、人の指２１によりタッチパネル部１２の面上のいずれかの点が押さえられていると判定した場合には、人の指２１により押さえられたタッチパネル部１２の面上の点の座標（指座標）を取得し、取得した指座標を指座標変数に格納して、その指座標変数の情報を補正値取得部１０４に出力する（ステップＳ２３）。
ここで、指座標変数としては、タッチパネル部１２の面上の点を同時に押さえる１本以上の人の指２１の座標（指座標）を格納する変数（パラメータ）であり、本実施形態では、最大で、３本の指までに対応している。具体的には、１本目の指については座標１（ｘ，ｙ）＝座標１（ｘ）および座標１（ｙ）にｘ軸方向の座標およびｙ軸方向の座標を格納し、２本目の指については座標２（ｘ，ｙ）＝座標２（ｘ）および座標２（ｙ）にｘ軸方向の座標およびｙ軸方向の座標を格納し、３本目の指については座標３（ｘ，ｙ）＝座標３（ｘ）および座標３（ｙ）にｘ軸方向の座標およびｙ軸方向の座標を格納する。なお、２本目以降の指によるタッチが無い場合には、２本目以降の指の座標について、例えば、空欄（例えば、あらかじめ定められた値でもよい）にしておく。
【００５２】
補正値取得部１０４は、指座標変数をメモリに記憶して、更新する。この指座標変数の初期値としては、あらかじめ定められる任意の値が用いられてもよい。
補正値取得部１０４は、指座標取得部１０２から指座標変数の情報が入力されると、現在において記憶されている指座標変数と指座標取得部１０２から入力された指座標変数との間に差分があるか否かを判定する（ステップＳ２４）。
ステップＳ２４の処理の結果、補正値取得部１０４は、現在において記憶されている指座標変数と指座標取得部１０２から入力された指座標変数との間に差分が無いと判定した場合には、現在における音声歪み補正処理を継続すればよいとみなして、特に何も行わない。そして、音声歪み補正装置１１では、ステップＳ２６の処理へ移行する。
【００５３】
一方、ステップＳ２４の処理の結果、補正値取得部１０４は、現在において記憶されている指座標変数と指座標取得部１０２から入力された指座標変数との間に差分があると判定した場合には、指座標取得部１０２から入力された指座標変数（取得座標）を上書きで格納するように、現在において記憶されている指座標変数を更新し、そして、記憶部１０３の補正値テーブル１２１の内容を参照して、更新後の指座標変数に該当（対応）する座標の補正値（本実施形態では、フィルタ係数）を読み出して、読み出した補正値を歪み補正処理部１０５により使用される補正処理変数に格納する（ステップＳ２５）。そして、音声歪み補正装置１１では、ステップＳ２６の処理へ移行する。
【００５４】
ここで、補正値取得部１０４は、補正処理変数（本実施形態では、フィルタ係数）をメモリに記憶して、更新する。この補正処理変数の初期値としては、例えば、あらかじめ定められ、一例として、音声歪み補正を行わない値を用いることができる。
また、歪み補正処理部１０５は、補正値取得部１０４により更新される補正処理変数（本実施形態では、フィルタ係数）を使用して、音声の歪み補正の処理を行う。一例として、補正値取得部１０４が、歪み補正処理部１０５に対して、更新後の補正処理変数の情報を出力して、この補正処理変数を設定してもよく、または、他の例として、歪み補正処理部１０５が、補正値取得部１０４により更新される補正処理変数の情報を補正値取得部１０４などのメモリから読み出して使用してもよい。
【００５５】
ステップＳ２６の処理において、音声歪み補正装置１１では、制御部１０９は、あらかじめ定められた時間（例えば、一定の時間）だけ、待機する（ステップＳ２６）。
その後、音声歪み補正装置１１では、制御部１０９は、補正情報取得処理を継続するか否かを判定する。この処理により、制御部１０９は、補正情報取得処理を継続することを判定した場合には、ステップＳ２２の処理へ移行させ、再び、ステップＳ２２〜ステップＳ２６およびステップＳ２８の処理を実行させる。
【００５６】
一方、制御部１０９は、例えばあらかじめ定められた事象（例えば、音声出力が終了したという事象など）が発生したことを検出したことに応じて、補正情報取得処理を継続しない（終了する）ことを判定した場合には、補正情報取得処理を終了するように制御する（ステップＳ２７）。
【００５７】
このように、本実施形態に係る携帯端末装置１の音声歪み補正装置１１では、スピーカー部１３のスピーカーから実際に音声が出力されている状態で、タッチパネル部１２のタッチパネルへの指２１の接触（タッチ）を検知した際に、指２１でタッチされている座標に対応して補正値テーブル１２１に格納されている補正値（本実施形態では、フィルタ係数）を使用して音声歪み補正を行うように切り替える。
【００５８】
［本実施形態に係る音声歪み補正実行処理の説明］
本実施形態に係る携帯端末装置１の音声歪み補正装置１１において行われる音声歪み補正実行処理について説明する。
図５は、本実施形態に係る携帯端末装置１の音声歪み補正装置１１において行われる音声歪み補正実行処理の手順の一例を示す図である。
このような音声歪み補正実行処理は、例えば、携帯端末装置１（または、その音声歪み補正装置１１）の電源がオンである状態において、常時、または、音声出力が行われているタイミングなどで、行われるが、本実施形態では、図３に示されるような補正値テーブル１２１の作成処理が行われている間には、行われない。
【００５９】
まず、音源部１０１の音声出力部１３１は、音声の信号を歪み補正処理部１０５に出力することを開始する（ステップＳ４１）。
ここで、音源部１０１の音声出力部１３１は、例えば、人（ユーザ）による操作部（例えば、キーなどであり、タッチパネルが利用されてもよい）の操作により、音楽などの音声を出力する指示が入力されたことに応じて、該当する音声を出力することや、人（ユーザ）による操作部（例えば、キーなどであり、タッチパネルが利用されてもよい）の操作に応じて、その操作音の音声を出力することや、または、あらかじめ定められたシステム上の警告音などの音声を出力すること、などを行う。
【００６０】
歪み補正処理部１０５は、補正値取得部１０４により更新される補正処理変数（本実施形態では、フィルタ係数）を使用して、音声出力部１３１から入力される音声の信号について、音声の歪み補正の処理を行い、この歪み補正を行った後における音声（歪み補正後の音声）の信号をスピーカー部１３に出力する（ステップＳ４２）。これにより、スピーカー部１３のスピーカーから、歪み補正後の音声が出力される。
ここで、歪み補正処理部１０５は、一例として、補正処理変数であるフィルタ係数を使用して、入力される音声の信号をフィルタリングして、このフィルタリング後の音声の信号を歪み補正後の音声の信号として取得する。
【００６１】
そして、音源部１０１の音声出力部１３１は、音声の信号を歪み補正処理部１０５に出力することを終了する（ステップＳ４３）。
ここで、音源部１０１の音声出力部１３１は、例えば、音楽や操作音などの音声の出力が完了したことに応じてその音声の出力を終了すること、または、人（ユーザ）による操作部（例えば、キーなどであり、タッチパネルが利用されてもよい）の操作により、音楽などの音声の出力を停止する指示が入力されたことに応じてその音声の出力を停止すること、などを行う。
【００６２】
このように、本実施形態に係る携帯端末装置１の音声歪み補正装置１１では、周波数特性補正用の補正値テーブル１２１を用いて、タッチパネル部１２の面上における指２１でタッチされている座標に対応して、スピーカー部１３のスピーカーから出力される前の音声に対して音声歪みの補正を行う。
【００６３】
［以上の実施形態のまとめ］
以上のように、本実施形態に係る携帯端末装置１の音声歪み補正装置１１では、あらかじめ補正値（本実施形態では、フィルタ係数）をテーブル化して記憶しておき、そして、タッチパネル付きの平面スピーカーから音声を出力するときに、タッチパネル付きの平面スピーカーが人の指２１により押下（タッチ）された際に発生する音声歪みを、その押下された１箇所以上の位置（座標）に応じた補正値を使用して、動的に補正する。このように、本実施形態に係る音声歪み補正装置１１では、タッチパネル付きの平面スピーカーが人の指２１により押下（タッチ）される１箇所以上の位置（座標）に応じて、音声歪みをフィードバック補正する。
したがって、本実施形態に係る携帯端末装置１の音声歪み補正装置１１によると、タッチパネルと平面スピーカーを組み合わせたデバイスにおいて、タッチパネルが人の指２１によりタッチされるときにおいても、スピーカーから出力される音声の歪みを低減して抑え（理想的には、ゼロにして）、高音質で音源を再生することが可能である。
【００６４】
ここで、補正値テーブル１２１の内容を作成する方法としては、本実施形態の例に限られず、様々な方法が用いられてもよく、一例として、理論的に計算などされて得られた補正値（例えば、フィルタ係数）などの情報を補正値テーブル１２１に書き込む方法を用いることができる。
また、本実施形態では、タッチパネルに同時にタッチする人の指の本数（つまり、スピーカーに同時にタッチする人の指の本数）として、１本〜３本に対応する場合を示したが、４本以上の任意の本数に対応する構成とすることもできる。
【００６５】
また、携帯端末装置１としては、様々なものが用いられてもよく、例えば、携帯電話の端末装置や、ＰＤＡ（Ｐｅｒｓｏｎａｌ  Ｄｉｇｉｔａｌ  Ａｓｓｉｓｔａｎｔ）の端末装置などを用いることができる。
また、本実施形態に係る音声歪み補正装置１１と同様な技術は、例えば、携帯端末装置以外の任意の装置に適用されてもよい。
【００６６】
本実施形態に係る構成例を示す。
一構成例として、タッチパネル（本実施形態では、タッチパネル部１２のタッチパネル）と、前記タッチパネルが押さえられるとその押さえらえた位置に対応する位置が押さえられるスピーカー（本実施形態では、スピーカー部１３のスピーカー）と、前記タッチパネルにおける押さえられる位置に関する情報（本実施形態では、１箇所以上の座標の情報）と音声歪みの補正値（本実施形態では、フィルタ係数）との対応付け（本実施形態では、補正値テーブル１２１）を記憶する記憶部１０３と、前記タッチパネルにおける押さえられた位置に関する情報を取得する位置情報取得部（本実施形態では、指座標取得部１０２）と、前記記憶部１０３に記憶された前記対応付けに基づいて、前記位置情報取得部により取得された位置に関する情報に対応する音声歪みの補正値を取得する補正値取得部１０４と、前記補正値取得部１０４により取得された音声歪みの補正値を使用して、前記スピーカーにより出力される前の音声の信号を補正する歪み補正処理部１０５と、を備えることを特徴とする音声歪み補正装置１１である。
【００６７】
一構成例として、前記スピーカーから出力された音声の情報を取得する音声取得部１０６と、前記音声取得部１０６により取得された音声の情報を周波数変換して、当該音声の周波数特性を取得する周波数変換部１０７と、前記タッチパネルが押さえられていない状態において前記音声取得部１０６および前記周波数変換部１０７により取得された音声の周波数特性と、前記タッチパネルが押さえられた状態において前記音声取得部１０６および前記周波数変換部１０７により取得された音声の周波数特性とに基づいて、前記タッチパネルが押さえられた状態に関して、前記タッチパネルにおける押さえられる位置に関する情報に対応する音声歪みの補正値を演算する補正値演算部（本実施形態では、フィルタ係数取得部１０８）と、を備えることを特徴とする音声歪み補正装置１１である。
【００６８】
一構成例として、前記音声取得部１０６、前記周波数変換部１０７および前記補正値演算部により音声歪みの補正値を演算する場合に、前記スピーカーから出力させるあらかじめ定められた音声の信号を出力する調整用音声出力部１３２、を備えることを特徴とする音声歪み補正装置１１である。
【００６９】
一構成例として、前記タッチパネルにおける押さえられる位置として、１箇所からあらかじめ定められた複数箇所（本実施形態では、３箇所）までの位置を用いる、ことを特徴とする音声歪み補正装置１１である。
【００７０】
なお、以上に説明した携帯端末装置１（特に、音声歪み補正装置１１）における任意の構成部の機能を実現するためのプログラムを、コンピュータ読み取り可能な記録媒体に記録し、そのプログラムをコンピュータシステムに読み込ませて実行するようにしてもよい。なお、ここで言う「コンピュータシステム」とは、ＯＳ（Ｏｐｅｒａｔｉｎｇ  Ｓｙｓｔｅｍ）や周辺機器等のハードウェアを含むものとする。また、「コンピュータシステム」は、インターネットやＷＡＮ（Ｗｉｄｅ  Ａｒｅａ  Ｎｅｔｗｏｒｋ）、ＬＡＮ（Ｌｏｃａｌ  Ａｒｅａ  Ｎｅｔｗｏｒｋ）、専用回線等の通信回線を含むネットワークを介して接続された複数のコンピュータ装置を含んでもよい。また、「コンピュータ読み取り可能な記録媒体」とは、フレキシブルディスク、光磁気ディスク、ＲＯＭ（Ｒｅａｄ  Ｏｎｌｙ  Ｍｅｍｏｒｙ）、ＣＤ（Ｃｏｍｐａｃｔ  Ｄｉｓｋ）−ＲＯＭ等の可搬媒体、コンピュータシステムに内蔵されるハードディスク等の記憶装置のことを言う。さらに、「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ：Ｒａｎｄｏｍ  Ａｃｃｅｓｓ  Ｍｅｍｏｒｙ）のように、一定時間プログラムを保持しているものも含むものとする。
【００７１】
また、上記のプログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことを言う。
また、上記のプログラムは、前述した機能の一部を実現するためのものであってもよい。さらに、上記のプログラムは、前述した機能をコンピュータシステムにすでに記録されているプログラムとの組み合わせで実現できるもの、いわゆる差分ファイル（差分プログラム）であってもよい。
【００７２】
また、前述した機能の一部または全部を、ＬＳＩ（Ｌａｒｇｅ  Ｓｃａｌｅ  Ｉｎｔｅｇｒａｔｉｏｎ）等の集積回路として実現してもよい。前述した各機能は、個別にプロセッサ化されてもよいし、あるいは、一部または全部を集積してプロセッサ化されてもよい。また、集積回路化の手法としては、ＬＳＩに限られず、専用回路または汎用プロセッサで実現されてもよい。また、半導体技術の進歩によりＬＳＩに代替する集積回路化の技術が出現した場合には、当該技術による集積回路が用いられてもよい。
【００７３】
以上、この発明の実施形態について図面を参照して詳述してきたが、具体的な構成はこの実施形態に限られるものではなく、この発明の要旨を逸脱しない範囲の設計等も含まれる。
【符号の説明】
【００７４】
１…携帯端末装置、１１…音声歪み補正装置、１２…タッチパネル部、１３…スピーカー部、２１…指、１０１…音源部、１０２…指座標取得部、１０３…記憶部、１０４…補正値取得部、１０５…歪み補正処理部、１０６…音声取得部、１０７…周波数変換部、１０８…フィルタ係数取得部、１０９…制御部、１２１…補正値テーブル、１３１…音声出力部、１３２…調整用音声出力部
【図１】
2014036309.tif 000003
【図２】
2014036309.tif 000004
【図３】
2014036309.tif 000005
【図４】
2014036309.tif 000006
【図５】
2014036309.tif 000007